(57)【特許請求の範囲】
【請求項１】
圧縮機と給湯用熱交換器と室外熱交換器と空調用熱交換器と膨張機構部と四方弁と室外熱交換器用送風機からなる冷暖房給湯装置において、前記給湯用熱交換器をバイパスする配管を設け前記バイパスする配管に流量調整弁を設け、冷房と給湯を同時運転する場合には一定以下に前記流量調整弁が閉まらないようにすることで前記室外熱交換器に常に二相冷媒が流れることを特徴とする冷暖房給湯装置。
【請求項２】
請求項１記載の冷暖房給湯装置において、給湯用熱交換器の冷媒出入口に温度検知手段を設け、この値によって流量調整弁の動作を制御する冷暖房給湯装置の制御方法。
【請求項３】
請求項１記載の冷暖房給湯装置において、給湯用熱交換器の温水出入口の双方もしくはいずれか一方に温度検知手段を設け、この値によって流量調整弁の動作を制御する冷暖房給湯装置の制御方法。
【請求項４】
請求項１記載の冷暖房給湯装置において、給湯能力要求ランクと空調能力要求ランクによって流量調整弁の動作を制御する冷暖房給湯装置の制御方法。
【請求項５】
請求項１記載の冷暖房給湯装置において、時刻と外気温度検知手段の双方またはいずれか一方を設けて、前記時刻と前記外気温度の双方またはいずれか一方の値と給湯能力要求ランクと空調能力要求ランクによって流量調整弁の動作を制御する冷暖房給湯装置の制御方法。
【請求項６】
請求項１記載の冷暖房給湯装置において、圧縮機吸入もしくは空調用熱交換器の冷媒出入口のいずれか一方に圧力検知手段を設け、この値によって流量調整弁の動作を制御する冷暖房給湯装置の制御方法。
【請求項７】
請求項１記載の冷暖房給湯装置において、空調用熱交換器の冷媒と水温の双方もしくはいずれか一方に温度検知手段を設け、この値によって流量調整弁の動作を制御する冷暖房給湯装置の制御方法。
【請求項８】
請求項１記載の冷暖房給湯装置において、室外機用熱交換器の過冷却度を検知する手段を設け、この値によって流量調整弁の動作を制御する冷暖房給湯装置の制御方法。
【請求項９】
請求項１記載の冷暖房給湯装置において、給湯用熱交換器の冷媒出入口に温度検知手段を設け、この値によって給湯用熱交換器の温水水量を制御する冷暖房給湯装置の制御方法。
【請求項１０】
請求項１記載の冷暖房給湯装置において、給湯用熱交換器の温水出入口の双方もしくはいずれか一方に温度検知手段を設け、この値によって給湯用熱交換器の温水水量を制御する冷暖房給湯装置の制御方法。
【請求項１１】
請求項１記載の冷暖房給湯装置において、圧縮機吸入もしくは空調用熱交換器の冷媒出入口のいずれか一方に圧力検知手段を設け、この値によって給湯用熱交換器の温水水量を制御する冷暖房給湯装置の制御方法。
【請求項１２】
請求項１記載の冷暖房給湯装置において、空調用熱交換器の冷媒と水温の双方もしくはいずれか一方に温度検知手段を設け、この値によって給湯用熱交換器の温水水量を制御する冷暖房給湯装置の制御方法。
【請求項１３】
請求項１記載の冷暖房給湯装置において、室外機用熱交換器の過冷却度を検知する手段を設け、この値によって給湯用熱交換器の温水水量を制御する冷暖房給湯装置の制御方法。
【請求項１４】
請求項１記載の冷暖房給湯装置において、給湯用熱交換器の温水と外気に温度検知手段を設け、この値によって室外熱交換器用送風機を制御する冷暖房給湯装置の制御方法。
【請求項１５】
請求項１記載の冷暖房給湯装置において、給湯用熱交換器の冷媒と外気に温度検知手段を設け、この値によって室外熱交換器用送風機を制御する冷暖房給湯装置の制御方法。
【請求項１６】
請求項１の冷暖房給湯装置において、室外用熱交換器の冷媒と外気に温度検知手段を設け、この値によって室外熱交換器用送風機を制御する冷暖房給湯装置の制御方法。
【請求項１７】
圧縮機と給湯用熱交換器と室外熱交換器と空調用熱交換器と膨張機構部と四方弁と室外熱交換器用送風機からなる冷暖房給湯装置において、前記給湯用熱交換器の温水または冷媒または前記室外用熱交換器の冷媒と外気に温度検知手段を設け、冷房と給湯を同時運転する場合に、前記室外熱交換器の温度が外気温度とほぼ等しくなった時に前記室外熱交換器用送風機を起動する冷暖房給湯装置の制御方法。
【発明の詳細な説明】
【０００１】
【発明の属する技術分野】
本発明は、冷凍サイクルを利用した冷暖房給湯装置に関する。
【０００２】
【従来の技術】
従来、この種の冷暖房給湯装置は、特開平５−２８８４２７号公報に記載されたものが知られている。
【０００３】
以下、その冷暖房給湯装置について図２０を参照しながら説明する。
【０００４】
図２０に示すように、圧縮機１０１と給湯用熱交換器１０２と室外熱交換器１０３と空調用熱交換器１０４と膨張機構部１０５と四方弁１０６と室外熱交換器用送風機１０７と給湯用ポンプ１０８を備えることにより配管にて接続することによって周知の冷凍サイクルを構成する。
【０００５】
冷房時は圧縮機１０１で圧縮された高圧冷媒ガスが給湯用熱交換器１０２を通り、四方弁１０６にて室外熱交換器１０３を通過し、それぞれの前記熱交換器にて放熱して高圧の液冷媒となる。この高圧の液冷媒は膨張機構部１０５で減圧され低圧の２相冷媒となり空調用熱交換器１０４で水や空気などの媒体から吸熱して低圧のガス冷媒となって四方弁１０６にて圧縮機１０１に吸入して周知の冷凍サイクルを形成する。これにより、水や空気などの媒体により室内を冷房し、この排熱を給湯に利用でき効率の良い運転を可能にしている。
【０００６】
また、暖房時は圧縮機１０１で圧縮された高圧冷媒ガスが給湯用熱交換器１０２を通り、四方弁１０６にて空調用熱交換器１０４を通過し、それぞれの前記熱交換器にて放熱して高圧の液冷媒となる。この高圧の液冷媒は膨張機構部１０５で減圧され低圧の２相冷媒となり室外熱交換器１０３で吸熱して低圧のガス冷媒となって四方弁１０６にて圧縮機１０１に吸入して周知の冷凍サイクルを形成する。これにより、暖房と給湯を同時に行える運転を可能にしている。
【０００７】
また、冷房と給湯の同時運転には、室外熱交換器用送風機１０７の風量は圧縮機１０１の吐出圧力によって比例的に制御されるのが一般的で室外熱交換器用送風機１０７は設定された圧力を越えた時に起動する。
【０００８】
【発明が解決しようとする課題】
このような従来の冷暖房給湯装置では、第１に、給湯運転の必要がないときでも常に高圧冷媒ガスが給湯用熱交換器を通過するために圧力損失により効率が低下するという課題ある。
【０００９】
また、第２に、給湯条件によって給湯用熱交換器出口の冷媒が液であったりガス状態であったりするためサイクル内最適充填量が変動し、効率の低下やサイクルの不安定による信頼性の低下という課題ある。さらに、冷房と給湯を同時運転するときに給湯負荷が大きい場合には、凝縮圧力の低下により蒸発圧力の低下をまねき、空調用熱交換器の凍結による信頼性の低下という課題ある。
【００１０】
また、第３に、給湯と空調能力分配による快適性向上という課題ある。
【００１１】
また、第４に、冷房時に室外熱交換器用送風機の起動時に生じる室外熱交換器能力の急激な変化と、外気温度によっては凝縮器であるはずの室外熱交換器が蒸発器として作用することがあり、サイクルの不安定による信頼性の低下という課題ある。
【００１２】
本発明は、このような従来の課題を解決するものであり、給湯用熱交換器での圧力損失による効率が低下を抑制することができ、また、サイクル内最適充填量の変動による効率の低下やサイクルの不安定と空調用熱交換器の凍結による信頼性の低下を抑制することができ、また、給湯と空調能力分配による快適性を向上することができ、また、冷房時に室外熱交換器用送風機の起動時に生じる室外熱交換器能力の急激な変化を抑制し、外気温度によっては凝縮器であるはずの室外熱交換器が蒸発器として作用することのない冷暖房給湯装置を提供することを目的としている。
【００１５】
【課題を解決するための手段】
本発明の冷暖房給湯装置は上記目的を達成するために、圧縮機と給湯用熱交換器と室外熱交換器と空調用熱交換器と膨張機構部と四方弁と室外熱交換器用送風機からなる冷暖房給湯装置において、前記給湯用熱交換器をバイパスする配管を設け前記バイパスする配管に流量調整弁を設け、冷房と給湯を同時運転する場合には一定以下に前記流量調整弁が閉まらないようにすることで前記室外熱交換器に常に二相冷媒が流れることを特徴とするものである。
【００１６】
そして本発明によれば、冷房と給湯を同時運転する場合には、流量調整弁を開ける方向に制御すると給湯能力が減少し、流量調整弁を閉める方向に制御すると給湯能力が増加するが、一定以下に流量調整弁が閉まらないようにすることで、室外熱交換器に常に二相冷媒が流れ、サイクル内最適充填量の変動を抑制する。さらに、室外熱交換器に常に凝縮負荷を持たせることで、給湯の高負荷時にもある程度の凝縮圧力を維持することができ蒸発圧力の必要以上な低下による空調用熱交換器の凍結を改善する。また、給湯用熱交換器での圧力損失による効率が低下を抑制することができ、また、サイクル内最適充填量の変動による効率の低下やサイクルの不安定による信頼性の低下を抑制することができ、また、給湯と空調能力分配による快適性を向上することのできる冷暖房給湯装置が得られる。
【００１７】
また他の手段は、給湯用熱交換器の冷媒出入口に温度検知手段を設け、この値によって流量調整弁の動作を制御するものである。
【００１８】
そして本発明によれば、給湯用熱交換器での圧力損失による効率が低下を抑制することができ、また、サイクル内最適充填量の変動による効率の低下やサイクルの不安定による信頼性の低下を抑制することができ、また、給湯と空調能力分配による快適性を向上することのできる冷暖房給湯装置が得られる。
【００１９】
また他の手段は、給湯用熱交換器の温水出入口の双方もしくはいずれか一方に温度検知手段を設け、この値によって流量調整弁の動作を制御するものである。
【００２０】
そして本発明によれば、給湯用熱交換器での圧力損失による効率が低下を抑制することができ、また、サイクル内最適充填量の変動による効率の低下やサイクルの不安定による信頼性の低下を抑制することができ、また、給湯と空調能力分配による快適性を向上することのできる冷暖房給湯装置が得られる。
【００２１】
また他の手段は、給湯能力要求ランクと空調能力要求ランクによって流量調整弁の動作を制御するものである。
【００２２】
そして本発明によれば、給湯用熱交換器での圧力損失による効率が低下を抑制することができ、また、サイクル内最適充填量の変動による効率の低下やサイクルの不安定による信頼性の低下を抑制することができ、また、給湯と空調能力分配による快適性を向上することのできる冷暖房給湯装置が得られる。
【００２３】
また他の手段は、時刻と外気温度検知手段の双方またはいずれか一方を設けて、時刻と外気温度の双方またはいずれか一方の値と給湯能力要求ランクと空調能力要求ランクによって流量調整弁の動作を制御するものである。
【００２４】
そして本発明によれば、給湯用熱交換器での圧力損失による効率が低下を抑制することができ、また、サイクル内最適充填量の変動による効率の低下やサイクルの不安定による信頼性の低下を抑制することができ、また、給湯と空調能力分配による快適性を向上することのできる冷暖房給湯装置が得られる。
【００２５】
また他の手段は、圧縮機吸入もしくは空調用熱交換器の冷媒出入口のいずれか一方に圧力検知手段を設け、この値によって流量調整弁の動作を制御するものである。
【００２６】
そして本発明によれば、給湯用熱交換器での圧力損失による効率が低下を抑制することができ、また、サイクル内最適充填量の変動による効率の低下やサイクルの不安定による信頼性の低下を抑制することができ、また、給湯と空調能力分配による快適性を向上することのできる冷暖房給湯装置が得られる。
【００２７】
また他の手段は、空調用熱交換器の冷媒と水温の双方もしくはいずれか一方に温度検知手段を設け、この値によって流量調整弁の動作を制御するものである。
【００２８】
そして本発明によれば、給湯用熱交換器での圧力損失による効率が低下を抑制することができ、また、サイクル内最適充填量の変動による効率の低下やサイクルの不安定による信頼性の低下を抑制することができ、また、給湯と空調能力分配による快適性を向上することのできる冷暖房給湯装置が得られる。
【００２９】
また他の手段は、室外機用熱交換器の過冷却度を検知する手段を設け、この値によって流量調整弁の動作を制御するものである。
【００３０】
そして本発明によれば、給湯用熱交換器での圧力損失による効率が低下を抑制することができ、また、サイクル内最適充填量の変動による効率の低下やサイクルの不安定による信頼性の低下を抑制することができ、また、給湯と空調能力分配による快適性を向上することのできる冷暖房給湯装置が得られる。
【００３５】
また他の手段は、給湯用熱交換器の冷媒出入口に温度検知手段を設け、この値によって給湯用熱交換器の温水水量を制御するものである。
【００３６】
そして本発明によれば、給湯用熱交換器での圧力損失による効率が低下を抑制することができ、また、サイクル内最適充填量の変動による効率の低下やサイクルの不安定による信頼性の低下を抑制することができ、また、給湯と空調能力分配による快適性を向上することのできる冷暖房給湯装置が得られる。
【００３７】
また他の手段は、給湯用熱交換器の温水出入口の双方もしくはいずれか一方に温度検知手段を設け、この値によって給湯用熱交換器の温水水量を制御するものである。
【００３８】
そして本発明によれば、給湯用熱交換器での圧力損失による効率が低下を抑制することができ、また、サイクル内最適充填量の変動による効率の低下やサイクルの不安定による信頼性の低下を抑制することができ、また、給湯と空調能力分配による快適性を向上することのできる冷暖房給湯装置が得られる。
【００３９】
また他の手段は、圧縮機吸入もしくは空調用熱交換器の冷媒出入口のいずれか一方に圧力検知手段を設け、この値によって給湯用熱交換器の温水水量を制御するものである。
【００４０】
そして本発明によれば、給湯用熱交換器での圧力損失による効率が低下を抑制することができ、また、サイクル内最適充填量の変動による効率の低下やサイクルの不安定による信頼性の低下を抑制することができ、また、給湯と空調能力分配による快適性を向上することのできる冷暖房給湯装置が得られる。
【００４１】
また他の手段は、空調用熱交換器の冷媒と水温の双方もしくはいずれか一方に温度検知手段を設け、この値によって給湯用熱交換器の温水水量を制御するものである。
【００４２】
そして本発明によれば、給湯用熱交換器での圧力損失による効率が低下を抑制することができ、また、サイクル内最適充填量の変動による効率の低下やサイクルの不安定による信頼性の低下を抑制することができ、また、給湯と空調能力分配による快適性を向上することのできる冷暖房給湯装置が得られる。
【００４３】
また他の手段は、室外機用熱交換器の過冷却度を検知する手段を設け、この値によって給湯用熱交換器の温水水量を制御するものである。
【００４４】
そして本発明によれば、給湯用熱交換器での圧力損失による効率が低下を抑制することができ、また、サイクル内最適充填量の変動による効率の低下やサイクルの不安定による信頼性の低下を抑制することができ、また、給湯と空調能力分配による快適性を向上することのできる冷暖房給湯装置が得られる。
【００４５】
また他の手段は、給湯用熱交換器の温水と外気に温度検知手段を設け、この値によって室外熱交換器用送風機を制御するものである。
【００４６】
そして本発明によれば、冷房時に室外熱交換器用送風機の起動時に生じる室外熱交換器能力の急激な変化を抑制し、外気温度によっては凝縮器であるはずの室外熱交換器が蒸発器として作用することのない冷暖房給湯装置が得られる。
【００４７】
また他の手段は、給湯用熱交換器の冷媒と外気に温度検知手段を設け、この値によって室外熱交換器用送風機を制御するものである。
【００４８】
そして本発明によれば、冷房時に室外熱交換器用送風機の起動時に生じる室外熱交換器能力の急激な変化を抑制し、外気温度によっては凝縮器であるはずの室外熱交換器が蒸発器として作用することのない冷暖房給湯装置が得られる。
【００４９】
また他の手段は、室外熱交換器の冷媒と外気に温度検知手段を設け、この値によって室外熱交換器用送風機を制御するものである。
【００５０】
そして本発明によれば、冷房時に室外熱交換器用送風機の起動時に生じる室外熱交換器能力の急激な変化を抑制し、外気温度によっては凝縮器であるはずの室外熱交換器が蒸発器として作用することのない冷暖房給湯装置が得られる。また他の手段は、圧縮機と給湯用熱交換器と室外熱交換器と空調用熱交換器と膨張機構部と四方弁と室外熱交換器用送風機からなる冷暖房給湯装置において、前記給湯用熱交換器の温水または冷媒または前記室外用熱交換器の冷媒と外気に温度検知手段を設け、冷房と給湯を同時運転する場合に、前記室外熱交換器の温度が外気温度とほぼ等しくなった時に前記室外熱交換器用送風機を起動するものである。そして本発明によれば、冷房と給湯を同時運転する場合に、室外熱交換器の温度が外気温度とほぼ等しくなった時に室外熱交換器用送風機の起動をすることで、室外熱交換器用送風機の起動によって生じる室外熱交換器能力の急激な変化を抑制し、凝縮能力と蒸発能力のバランス変化によるサイクルの変動を抑制するという作用を有する。外気温度によっては凝縮器であるはずの室外熱交換器が蒸発器として作用することのない冷暖房給湯装置が得られる。
【００５２】
【発明の実施の形態】
本発明は、圧縮機と給湯用熱交換器と室外熱交換器と空調用熱交換器と膨張機構部と四方弁と室外熱交換器用送風機からなる冷暖房給湯装置において、前記給湯用熱交換器をバイパスする配管を設け前記バイパスする配管に流量調整弁を設け、冷房と給湯を同時運転する場合には一定以下に前記流量調整弁が閉まらないようにすることで前記室外熱交換器に常に二相冷媒が流れることを特徴とするものであり、冷房と給湯を同時運転する場合には、流量調整弁を開ける方向に制御すると給湯能力が減少し、流量調整弁を閉める方向に制御すると給湯能力が増加するが、一定以下に流量調整弁が閉まらないようにすることで、室外熱交換器に常に二相冷媒が流れ、サイクル内最適充填量の変動を抑制する。さらに、室外熱交換器に常に凝縮負荷を持たせることで、給湯の高負荷時にもある程度の凝縮圧力を維持することができ蒸発圧力の必要以上な低下による空調用熱交換器の凍結を改善するという作用を有する。
【００５６】
また、給湯用熱交換器の温水または冷媒または室外用熱交換器の冷媒と外気に温度検知手段を設け、この値によって室外熱交換器用送風機の起動を制御するとしたものであり、冷房と給湯を同時運転する場合に、前記室外熱交換器の温度が外気温度とほぼ等しくなった時に前記室外熱交換器用送風機を起動することで、前記室外熱交換器用送風機の起動によって生じる前記室外熱交換器能力の急激な変化を抑制し、凝縮能力と蒸発能力のバランス変化によるサイクルの変動を抑制するという作用を有する。
【００５７】
以下、本発明の実施例について図面を参照しながら説明する。
【００５８】
【実施例】
（参考例１）
図１は本発明の冷暖房給湯装置のサイクル構成図を示す。圧縮機１０１と給湯用熱交換器１０２と室外熱交換器１０３と空調用熱交換器１０４と膨張機構部１０５と四方弁１０６と室外熱交換器用送風機１０７と給湯用ポンプ１０８を備える冷暖房給湯装置に、給湯用熱交換器１０２をバイパスするバイパス管１を設けた構成としている。
【００５９】
上記構成において、圧縮機１０１で圧縮された高圧冷媒ガスはバイパス管１と給湯用熱交換器１０２に分流し、圧力損失が低下し高圧が低下することで圧縮機の仕事量減少により効率改善される。また、給湯水温度が低下すると給湯用熱交換器内の冷媒は凝縮し易くなるため圧力損失が減少し冷媒が多く流れるようになり、自然と給湯能力を向上させるように作用し、給湯と空調能力分配による快適性が向上することとなる。
【００６０】
（実施例１）
図２は本発明の冷暖房給湯装置のサイクル構成図を示す。圧縮機１０１と給湯用熱交換器１０２と室外熱交換器１０３と空調用熱交換器１０４と膨張機構部１０５と四方弁１０６と室外熱交換器用送風機１０７と給湯用ポンプ１０８を備える冷暖房給湯装置に、給湯用熱交換器１０２をバイパスするバイパス管１とバイパス管１に流量調整弁２を設け、給湯用熱交換器１０２の冷媒出入口に温度検知手段として給湯用熱交換器冷媒入口温度センサー３と給湯用熱交換器冷媒出口温度センサー４を設け、この値によって流量調整弁２の動作を制御する流量調整弁コントローラー５を設けた構成としている。
【００６１】
上記構成において、冷房と給湯を同時運転する場合には、暖房と給湯の同時運転時と同様に流量調整弁２を制御しつつ、一定以下に流量調整弁２が閉まらないようにすることで、室外熱交換器１０３に常に二相冷媒が流れることでサイクル内最適充填量の変動を抑制する。さらに、室外熱交換器１０３に常に凝縮負荷を持たせることで、給湯の高負荷時にもある程度の凝縮圧力を維持することができ蒸発圧力の必要以上な低下による空調用熱交換器の凍結を改善できることとなる。
【００６２】
（参考例２）  空調単独運転の場合には、流量調整弁２を全開に開くことによって、圧縮機１０１で圧縮された高圧冷媒ガスはバイパス管１と給湯用熱交換器１０２に分流し、圧力損失が低下し高圧が低下することで圧縮機の仕事量減少により効率改善されることとなる。また、給湯単独運転の場合には、流量調整弁２を全閉することによって、従来と同様の運転を行なえる。
【００６３】
また、暖房と給湯を同時運転する場合には、給湯用熱交換器冷媒入口温度センサー３の値に応じた給湯用熱交換器冷媒出口温度に設定値を与え、給湯用熱交換器冷媒出口温度センサー４の値が設定値より高いとき流量調整弁コントローラー５にて流量調整弁２を開ける方向に制御し、給湯用熱交換器冷媒出口温度センサー４の値が設定値より低いとき流量調整弁コントローラー５にて流量調整弁２を閉める方向に制御することで、給湯と空調の能力分配を行なえることとなる。
【００６５】
（実施例２）
図３は本発明の冷暖房給湯装置のサイクル構成図を示す。圧縮機１０１と給湯用熱交換器１０２と室外熱交換器１０３と空調用熱交換器１０４と膨張機構部１０５と四方弁１０６と室外熱交換器用送風機１０７と給湯用ポンプ１０８を備える冷暖房給湯装置に、給湯用熱交換器１０２をバイパスするバイパス管１とバイパス管１に流量調整弁２を設け、給湯用熱交換器１０２の温水出入口に温度検知手段として給湯用熱交換器水入口温度センサー６と給湯用熱交換器水出口温度センサー７を設け、この値によって流量調整弁２の動作を制御する流量調整弁コントローラー５を設けた構成としている。
【００６６】
上記構成において、冷房と給湯を同時運転する場合には、暖房と給湯の同時運転時と同様に流量調整弁２を制御しつつ、一定以下に流量調整弁２が閉まらないようにすることで、室外熱交換器１０３に常に二相冷媒が流れることでサイクル内最適充填量の変動を抑制する。さらに、室外熱交換器１０３に常に凝縮負荷を持たせることで、給湯の高負荷時にもある程度の凝縮圧力を維持することができ蒸発圧力の必要以上な低下による空調用熱交換器の凍結を改善できることとなる。
【００６７】
（参考例３）  空調単独運転の場合には、流量調整弁２を全開に開くことによって、圧縮機１０１で圧縮された高圧冷媒ガスはバイパス管１と給湯用熱交換器１０２に分流し、圧力損失が低下し高圧が低下することで圧縮機の仕事量減少により効率改善されることとなる。また、給湯単独運転の場合には、流量調整弁２を全閉することによって、従来と同様の運転を行なえる。
【００６８】
また、暖房と給湯を同時運転する場合には、給湯用熱交換器水入口温度センサー６の値に応じた給湯用熱交換器水出口温度に設定値を与え、給湯用熱交換器水出口温度センサー７の値が設定値より高いとき流量調整弁コントローラー５にて流量調整弁２を開ける方向に制御し、給湯用熱交換器水出口温度センサー７の値が設定値より低いとき流量調整弁コントローラー５にて流量調整弁２を閉める方向に制御することで、給湯と空調の能力分配を行なえることとなる。
【００７０】
（実施例３）
図４は本発明の冷暖房給湯装置のサイクル構成図を示す。圧縮機１０１と給湯用熱交換器１０２と室外熱交換器１０３と空調用熱交換器１０４と膨張機構部１０５と四方弁１０６と室外熱交換器用送風機１０７と給湯用ポンプ１０８を備える冷暖房給湯装置に、給湯用熱交換器１０２をバイパスするバイパス管１とバイパス管１に流量調整弁２を設け、空調能力要求ランク設定装置８と給湯能力要求ランク設定装置９を設け、この値によって流量調整弁２の動作を制御する流量調整弁コントローラー５を設けた構成としている。
【００７１】
上記構成において、冷房と給湯を同時運転する場合には、空調能力要求ランク設定装置８の値が給湯能力要求ランク設定装置９の値によらず一定開度に流量調整弁２を固定することで、室外熱交換器１０３に常に二相冷媒が流れることでサイクル内最適充填量の変動を抑制する。さらに、室外熱交換器１０３に常に凝縮負荷を持たせることで、給湯の高負荷時にもある程度の凝縮圧力を維持することができ蒸発圧力の必要以上な低下による空調用熱交換器の凍結を改善できることとなる。
【００７２】
（参考例４）  空調単独運転の場合には、流量調整弁２を全開に開くことによって、圧縮機１０１で圧縮された高圧冷媒ガスはバイパス管１と給湯用熱交換器１０２に分流し、圧力損失が低下し高圧が低下することで圧縮機の仕事量減少により効率改善されることとなる。また、給湯単独運転の場合には、流量調整弁２を全閉することによって、従来と同様の運転を行なえる。
【００７３】
また、暖房と給湯を同時運転する場合には、空調能力要求ランク設定装置８と給湯能力要求ランク設定装置９をパラメータとした計算式により流量調整弁コントローラー５にて流量調整弁２を制御する。基本的に、空調能力要求ランク設定装置８の値が給湯能力要求ランク設定装置９の値より大きいときは流量調整弁２を開ける方向に制御し、空調能力要求ランク設定装置８の値が給湯能力要求ランク設定装置９の値より小さいときは流量調整弁２を閉める方向に制御することで、要求に応じた給湯と空調の能力分配を行なえることとなる。
【００７５】
（実施例４）
図５は本発明の冷暖房給湯装置のサイクル構成図を示す。圧縮機１０１と給湯用熱交換器１０２と室外熱交換器１０３と空調用熱交換器１０４と膨張機構部１０５と四方弁１０６と室外熱交換器用送風機１０７と給湯用ポンプ１０８を備える冷暖房給湯装置に、給湯用熱交換器１０２をバイパスするバイパス管１とバイパス管１に流量調整弁２を設け、空調能力要求ランク設定装置８と給湯能力要求ランク設定装置９と時計１０と外気温度センサー１１を設け、この値によって流量調整弁２の動作を制御する流量調整弁コントローラー５を設けた構成としている。
【００７６】
上記構成において、冷房と給湯を同時運転する場合には、空調能力要求ランク設定装置８の値が給湯能力要求ランク設定装置９の値によらず一定開度に流量調整弁２を固定することで、室外熱交換器１０３に常に二相冷媒が流れることでサイクル内最適充填量の変動を抑制する。さらに、室外熱交換器１０３に常に凝縮負荷を持たせることで、給湯の高負荷時にもある程度の凝縮圧力を維持することができ蒸発圧力の必要以上な低下による空調用熱交換器の凍結を改善できることとなる。
【００７７】
（参考例５）  空調単独運転の場合には、流量調整弁２を全開に開くことによって、圧縮機１０１で圧縮された高圧冷媒ガスはバイパス管１と給湯用熱交換器１０２に分流し、圧力損失が低下し高圧が低下することで圧縮機の仕事量減少により効率改善されることとなる。また、給湯単独運転の場合には、流量調整弁２を全閉することによって、従来と同様の運転を行なえる。
【００７８】
また、暖房と給湯を同時運転する場合には、時計１０による時刻や外気温度センサー１１による外気温度に応じた空調能力要求ランク設定装置８と給湯能力要求ランク設定装置９をパラメータとした計算式により流量調整弁コントローラー５にて流量調整弁２を制御する。基本的に、空調能力要求ランク設定装置８の値が給湯能力要求ランク設定装置９の値より大きいときは流量調整弁２を開ける方向に制御し、空調能力要求ランク設定装置８の値が給湯能力要求ランク設定装置９の値より小さいときは流量調整弁２を閉める方向に制御するが、外気温度が低い時は空調能力を優先させ、午前０時から午前６時と午前１１時から午後３時には給湯能力を優先させることで、要求と必要に応じた給湯と空調の能力分配を行なえることとなる。
【００８０】
（実施例５）
図６は本発明の冷暖房給湯装置のサイクル構成図を示す。圧縮機１０１と給湯用熱交換器１０２と室外熱交換器１０３と空調用熱交換器１０４と膨張機構部１０５と四方弁１０６と室外熱交換器用送風機１０７と給湯用ポンプ１０８を備える冷暖房給湯装置に、給湯用熱交換器１０２をバイパスするバイパス管１とバイパス管１に流量調整弁２を設け、圧縮機吸入圧力センサー１２を設け、この値によって流量調整弁２の動作を制御する流量調整弁コントローラー５を設けた構成としている。
【００８１】
上記構成において、冷房と給湯を同時運転する場合には、暖房と給湯の同時運転時と同様に流量調整弁２を制御しつつ、一定以下に流量調整弁２が閉まらないようにすることで、室外熱交換器１０３に常に二相冷媒が流れることでサイクル内最適充填量の変動を抑制する。さらに、室外熱交換器１０３に常に凝縮負荷を持たせることで、給湯の高負荷時にもある程度の凝縮圧力を維持することができ蒸発圧力の必要以上な低下による空調用熱交換器の凍結を改善できることとなる。
【００８２】
（参考例６）  空調単独運転の場合には、流量調整弁２を全開に開くことによって、圧縮機１０１で圧縮された高圧冷媒ガスはバイパス管１と給湯用熱交換器１０２に分流し、圧力損失が低下し高圧が低下することで圧縮機の仕事量減少により効率改善されることとなる。また、給湯単独運転の場合には、流量調整弁２を全閉することによって、従来と同様の運転を行なえる。
【００８３】
また、暖房と給湯を同時運転する場合には、圧縮機吸入圧力センサー１２の値が設定値より高いとき流量調整弁コントローラー５にて流量調整弁２を閉める方向に制御し、圧縮機吸入圧力センサー１２の値が設定値より低いとき流量調整弁コントローラー５にて流量調整弁２を開ける方向に制御することで、給湯と空調の能力分配を行なえることとなる。
【００８５】
（実施例６）
図７は本発明の冷暖房給湯装置のサイクル構成図を示す。圧縮機１０１と給湯用熱交換器１０２と室外熱交換器１０３と空調用熱交換器１０４と膨張機構部１０５と四方弁１０６と室外熱交換器用送風機１０７と給湯用ポンプ１０８を備える冷暖房給湯装置に、給湯用熱交換器１０２をバイパスするバイパス管１とバイパス管１に流量調整弁２を設け、空調用熱交換器水温度センサー１３と空調用熱交換器冷媒温度センサー１４を設け、この値によって流量調整弁２の動作を制御する流量調整弁コントローラー５を設けた構成としている。
【００８６】
上記構成において、冷房と給湯を同時運転する場合には、空調用熱交換器水温度センサー１３の値に応じた空調用熱交換器冷媒温度を設定し、空調用熱交換器冷媒温度センサー１４の値が設定値より高いとき流量調整弁コントローラー５にて流量調整弁２を閉める方向に制御し、空調用熱交換器冷媒温度センサー１４の値が設定値より低いとき流量調整弁コントローラー５にて流量調整弁２を開ける方向に制御しつつ、一定以下に流量調整弁２が閉まらないようにすることで、室外熱交換器１０３に常に二相冷媒が流れることでサイクル内最適充填量の変動を抑制する。さらに、室外熱交換器１０３に常に凝縮負荷を持たせることで、給湯の高負荷時にもある程度の凝縮圧力を維持することができ蒸発圧力の必要以上な低下による空調用熱交換器の凍結を改善できることとなる。
【００８７】
（参考例７）  空調単独運転の場合には、流量調整弁２を全開に開くことによって、圧縮機１０１で圧縮された高圧冷媒ガスはバイパス管１と給湯用熱交換器１０２に分流し、圧力損失が低下し高圧が低下することで圧縮機の仕事量減少により効率改善されることとなる。また、給湯単独運転の場合には、流量調整弁２を全閉することによって、従来と同様の運転を行なえる。
【００８８】
また、暖房と給湯を同時運転する場合には、空調用熱交換器冷媒温度センサー１４の値によらず、空調用熱交換器水温度センサー１３の値が設定値より高いとき流量調整弁コントローラー５にて流量調整弁２を閉める方向に制御し、空調用熱交換器水温度センサー１３が設定値より低いとき流量調整弁コントローラー５にて流量調整弁２を開ける方向に制御することで、給湯と空調の能力分配を行なえることとなる。
【００９０】
（実施例７）
図８は本発明の冷暖房給湯装置のサイクル構成図を示す。圧縮機１０１と給湯用熱交換器１０２と室外熱交換器１０３と空調用熱交換器１０４と膨張機構部１０５と四方弁１０６と室外熱交換器用送風機１０７と給湯用ポンプ１０８を備える冷暖房給湯装置に、給湯用熱交換器１０２をバイパスするバイパス管１とバイパス管１に流量調整弁２を設け、冷房運転時に室外機熱交換器１０３の過冷却度検知手段として室外熱交換器冷媒温度センサー１５と室外熱交換器冷媒圧力センサー１６を設け、この値によって流量調整弁２の動作を制御する流量調整弁コントローラー５を設けた構成としている。
【００９１】
上記構成において、冷房と給湯を同時運転する場合には、室外熱交換器冷媒圧力センサー１６の値に応じた室外熱交換器冷媒温度を設定し、室外熱交換器冷媒温度センサー１５の値が設定値より高いとき（過冷却度が設定より取れていないとき）流量調整弁コントローラー５にて流量調整弁２を閉める方向に制御し、室外熱交換器冷媒温度センサー１５の値が設定値より低いとき（過冷却度が設定より取れているとき）流量調整弁コントローラー５にて流量調整弁２を開ける方向に制御しつつ、一定以下に流量調整弁２が閉まらないようにすることで、室外熱交換器１０３に常に二相冷媒が流れることでサイクル内最適充填量の変動を抑制する。さらに、室外熱交換器１０３に常に凝縮負荷を持たせることで、給湯の高負荷時にもある程度の凝縮圧力を維持することができ蒸発圧力の必要以上な低下による空調用熱交換器の凍結を改善できることとなる。
【００９２】
（参考例８）  空調単独運転の場合には、流量調整弁２を全開に開くことによって、圧縮機１０１で圧縮された高圧冷媒ガスはバイパス管１と給湯用熱交換器１０２に分流し、圧力損失が低下し高圧が低下することで圧縮機の仕事量減少により効率改善されることとなる。また、給湯単独運転の場合には、流量調整弁２を全閉することによって、従来と同様の運転を行なえる。
【００９３】
また、暖房と給湯を同時運転する場合には、流量調整弁２を全開に開くことによって、圧縮機１０１で圧縮された高圧冷媒ガスはバイパス管１と給湯用熱交換器１０２に分流し、圧力損失が低下し高圧が低下することで圧縮機の仕事量減少により効率改善される。また、給湯水温度が低下すると給湯用熱交換器内の冷媒は凝縮し易くなるため圧力損失が減少し冷媒が多く流れるようになり、自然と給湯能力を向上させるように作用し、給湯と空調能力分配による快適性が向上することとなる。
【００９５】
（実施例８）
図９は本発明の冷暖房給湯装置のサイクル構成図を示す。圧縮機１０１と給湯用熱交換器１０２と室外熱交換器１０３と空調用熱交換器１０４と膨張機構部１０５と四方弁１０６と室外熱交換器用送風機１０７と給湯用ポンプ１０８を備える冷暖房給湯装置に、給湯用熱交換器１０２をバイパスするバイパス管１と給湯用熱交換器１０２の冷媒入口側のバイパス分岐部に三方弁１７を設け、給湯用熱交換器１０２の冷媒出入口に温度検知手段として給湯用熱交換器冷媒入口温度センサー３と給湯用熱交換器冷媒出口温度センサー４を設け、この値によって給湯用熱交換器１０２の温水水量を制御する手段として給湯用ポンプコントローラー１８を設けた構成としている。
【００９６】
上記構成において、冷房と給湯を同時運転する場合には、暖房と給湯の同時運転時と同様に給湯用ポンプ１０８の出力を制御することで、給湯能力を抑制し、室外熱交換器１０３に常に凝縮負荷を持たせることで、ある程度の凝縮圧力を維持することができ蒸発圧力の必要以上な低下による空調用熱交換器の凍結を改善できることとなる。
【００９７】
（参考例９）  空調単独運転の場合には、圧縮機１０１で圧縮された高圧冷媒ガスを三方弁１７にてバイパス管１に流し給湯用熱交換器１０２をバイパスすることによって、圧力損失が低下し高圧が低下することで圧縮機の仕事量減少により効率改善されることとなる。また、給湯を必要とする運転の場合には、圧縮機１０１で圧縮された高圧冷媒ガスを三方弁１７にて給湯用熱交換器１０２に流すことによって、給湯運転を行なうことができることとなる。
【００９８】
また、給湯単独運転の場合には、給湯用ポンプコントローラー１８にて給湯用ポンプ１０８の出力を最大にすることによって、従来と同様の運転を行なえる。
【００９９】
また、暖房と給湯を同時運転する場合には、給湯用熱交換器冷媒入口温度センサー３の値に応じた給湯用熱交換器冷媒出口温度に設定値を与え、給湯用熱交換器冷媒出口温度センサー４の値が設定値より高いとき給湯用ポンプコントローラー１８にて給湯用ポンプ１０８の出力を上げる方向に制御し、給湯用熱交換器冷媒出口温度センサー４の値が設定値より低いとき給湯用ポンプコントローラー１８にて給湯用ポンプ１０８の出力を下げる方向に制御することで、給湯と空調の能力分配を行なえることとなる。
【０１０１】
（実施例９）
図１０は本発明の冷暖房給湯装置のサイクル構成図を示す。圧縮機１０１と給湯用熱交換器１０２と室外熱交換器１０３と空調用熱交換器１０４と膨張機構部１０５と四方弁１０６と室外熱交換器用送風機１０７と給湯用ポンプ１０８を備える冷暖房給湯装置に、給湯用熱交換器１０２をバイパスするバイパス管１と給湯用熱交換器１０２の冷媒出口側のバイパス合流部に三方弁１７を設け、給湯用熱交換器１０２の温水出入口に温度検知手段として給湯用熱交換器水入口温度センサー６と給湯用熱交換器水出口温度センサー７を設け、この値によって給湯用熱交換器１０２の温水水量を制御する手段として給湯用ポンプコントローラー１８を設けた構成としている。
【０１０２】
上記構成において、冷房と給湯を同時運転する場合には、暖房と給湯の同時運転時と同様に給湯用ポンプ１０８の出力を制御することで、給湯能力を抑制し、室外熱交換器１０３に常に凝縮負荷を持たせることで、ある程度の凝縮圧力を維持することができ蒸発圧力の必要以上な低下による空調用熱交換器の凍結を改善できることとなる。
【０１０３】
（参考例１０）  空調単独運転の場合には、圧縮機１０１で圧縮された高圧冷媒ガスを三方弁１７にてバイパス管１に流し給湯用熱交換器１０２をバイパスすることによって、圧力損失が低下し高圧が低下することで圧縮機の仕事量減少により効率改善されることとなる。また、給湯を必要とする運転の場合には、圧縮機１０１で圧縮された高圧冷媒ガスを三方弁１７にて給湯用熱交換器１０２に流すことによって、従来と同様の運転を行なうことができる。このとき、三方弁１７は給湯用熱交換器１０２の出口側にあるため三方弁１７の圧力損失が給湯用熱交換器１０２の性能低下に影響ぜず、さらに三方弁１７に凝縮された液冷媒もしくは二相冷媒が流れるために三方弁１７の圧力損失低減することによって効率低下を改善することとなる。
【０１０４】
また、給湯単独運転の場合には、給湯用ポンプコントローラー１８にて給湯用ポンプ１０８の出力を最大にすることによって、従来と同様の運転を行なえる。
【０１０５】
また、暖房と給湯を同時運転する場合には、給湯用熱交換器水入口温度センサー６の値に応じた給湯用熱交換器水出口温度に設定値を与え、給湯用熱交換器水出口温度センサー７の値が設定値より高いとき給湯用ポンプコントローラー１８にて給湯用ポンプ１０８の出力を上げる方向に制御し、給湯用熱交換器水出口温度センサー７の値が設定値より低いとき給湯用ポンプコントローラー１８にて給湯用ポンプ１０８の出力を下げる方向に制御することで、給湯と空調の能力分配を行なえることとなる。
【０１０７】
（実施例１０）
図１１は本発明の冷暖房給湯装置のサイクル構成図を示す。圧縮機１０１と給湯用熱交換器１０２と室外熱交換器１０３と空調用熱交換器１０４と膨張機構部１０５と四方弁１０６と室外熱交換器用送風機１０７と給湯用ポンプ１０８を備える冷暖房給湯装置に、給湯用熱交換器１０２をバイパスするバイパス管１とバイパス管１に流量調整弁２を設け、圧縮機吸入圧力センサー１２を設け、この値によって給湯用熱交換器１０２の温水水量を制御する手段として給湯用ポンプコントローラー１８を設けた構成としている。
【０１０８】
上記構成において、冷房と給湯を同時運転する場合には、暖房と給湯の同時運転時と同様に給湯用ポンプ１０８の出力を制御することで、給湯能力を抑制し、室外熱交換器１０３に常に凝縮負荷を持たせることで、ある程度の凝縮圧力を維持することができ蒸発圧力の必要以上な低下による空調用熱交換器の凍結を改善できることとなる。
【０１０９】
（参考例１１）  給湯単独運転の場合には、給湯用ポンプコントローラー１８にて給湯用ポンプ１０８の出力を最大にすることによって、従来と同様の運転を行なえる。また、暖房と給湯を同時運転する場合には、圧縮機吸入圧力センサー１２の値が設定値より高いとき給湯用ポンプコントローラー１８にて給湯用ポンプ１０８の出力を上げる方向に制御し、圧縮機吸入圧力センサー１２の値が設定値より低いとき給湯用ポンプコントローラー１８にて給湯用ポンプ１０８の出力を下げる方向に制御することで、給湯と空調の能力分配を行なえることとなる。
【０１１１】
（実施例１１）
図１２は本発明の冷暖房給湯装置のサイクル構成図を示す。圧縮機１０１と給湯用熱交換器１０２と室外熱交換器１０３と空調用熱交換器１０４と膨張機構部１０５と四方弁１０６と室外熱交換器用送風機１０７と給湯用ポンプ１０８を備える冷暖房給湯装置に、給湯用熱交換器１０２をバイパスするバイパス管１とバイパス管１に流量調整弁２を設け、空調用熱交換器水温度センサー１３と空調用熱交換器冷媒温度センサー１４を設け、この値によって給湯用熱交換器１０２の温水水量を制御する手段として給湯用ポンプコントローラー１８を設けた構成としている。
【０１１２】
上記構成において、冷房と給湯を同時運転する場合には、空調用熱交換器水温度センサー１３の値に応じた空調用熱交換器冷媒温度を設定し、空調用熱交換器冷媒温度センサー１４の値が設定値より高いとき給湯用ポンプコントローラー１８にて給湯用ポンプ１０８の出力を上げる方向に制御し、空調用熱交換器冷媒温度センサー１４の値が設定値より低いとき給湯用ポンプコントローラー１８にて給湯用ポンプ１０８の出力を下げる方向に制御することで、給湯能力を抑制し、室外熱交換器１０３に常に凝縮負荷を持たせることで、ある程度の凝縮圧力を維持することができ蒸発圧力の必要以上な低下による空調用熱交換器の凍結を改善できることとなる。
【０１１３】
（参考例１２）  給湯単独運転の場合には、給湯用ポンプコントローラー１８にて給湯用ポンプ１０８の出力を最大にすることによって、従来と同様の運転を行なえる。また、暖房と給湯を同時運転する場合には、空調用熱交換器冷媒温度センサー１４の値によらず、空調用熱交換器水温度センサー１３の値が設定値より高いとき給湯用ポンプコントローラー１８にて給湯用ポンプ１０８の出力を上げる方向に制御し、空調用熱交換器水温度センサー１３が設定値より低いとき給湯用ポンプコントローラー１８にて給湯用ポンプ１０８の出力を下げる方向に制御することで、給湯と空調の能力分配を行なえることとなる。
【０１１５】
（実施例１２）
図１３は本発明の冷暖房給湯装置のサイクル構成図を示す。圧縮機１０１と給湯用熱交換器１０２と室外熱交換器１０３と空調用熱交換器１０４と膨張機構部１０５と四方弁１０６と室外熱交換器用送風機１０７と給湯用ポンプ１０８を備える冷暖房給湯装置に、給湯用熱交換器１０２をバイパスするバイパス管１とバイパス管１に流量調整弁２を設け、冷房運転時に室外機熱交換器１０３の過冷却度検知手段として室外熱交換器冷媒温度センサー１５と室外熱交換器冷媒圧力センサー１６を設け、この値によって給湯用熱交換器１０２の温水水量を制御する手段として給湯用ポンプコントローラー１８を設けた構成としている。
【０１１６】
上記構成において、冷房と給湯を同時運転する場合には、室外熱交換器冷媒圧力センサー１６の値に応じた室外熱交換器冷媒温度を設定し、室外熱交換器冷媒温度センサー１５の値が設定値より高いとき（過冷却度が設定より取れていないとき）給湯用ポンプコントローラー１８にて給湯用ポンプ１０８の出力を上げる方向に制御し、室外熱交換器冷媒温度センサー１５の値が設定値より低いとき（過冷却度が設定より取れているとき）給湯用ポンプコントローラー１８にて給湯用ポンプ１０８の出力を下げる方向に制御することで、給湯能力を抑制し、室外熱交換器１０３の冷媒状態を安定させることでサイクル内最適充填量の変動を抑制する。このことにより、効率の低下やサイクルの不安定による信頼性の低下を改善することができることとなる。
【０１１７】
（参考例１３）  給湯単独運転の場合や暖房と給湯を同時運転する場合には、給湯用ポンプコントローラー１８にて給湯用ポンプ１０８の出力を最大にすることによって、従来と同様の運転を行なえる。
【０１１８】
（実施例１３）
図１４は本発明の冷暖房給湯装置のサイクル構成図を示す。圧縮機１０１と給湯用熱交換器１０２と室外熱交換器１０３と空調用熱交換器１０４と膨張機構部１０５と四方弁１０６と室外熱交換器用送風機１０７と給湯用ポンプ１０８を備える冷暖房給湯装置に、給湯用熱交換器１０２をバイパスするバイパス管１とバイパス管１に流量調整弁２を設け、給湯用熱交換器１０２の温水温度検知手段として給湯用熱交換器水入口温度センサー６と外気温度検知手段として外気温度センサー１１を設け、この値によって室外熱交換器用送風機１０７の風量制御手段として室外熱交換器用送風機コントローラー１９を設けた構成としている。
【０１１９】
上記構成において、冷房と給湯を同時運転する場合には、給湯用熱交換器水入口温度センサー６の値が外気温度センサー１１の値を越えたときに室外熱交換器用送風機コントローラー１９にて室外熱交換器用送風機１０７を起動させるようにすることで、室外熱交換器１０３の温度と外気温度との差が小さく、さらに外気温度の方が小さいと予測される状態となるので室外熱交換器用送風機１０７の起動による室外熱交換器１０３の急激な能力変化を抑制し、室外熱交換器１０３を凝縮器として作用させることができるのでサイクルの安定による信頼性向上と蒸発圧力の必要以上な低下による空調用熱交換器の凍結を改善できることとなる。
【０１２０】
（実施例１４）
図１５は本発明の冷暖房給湯装置のサイクル構成図を示す。圧縮機１０１と給湯用熱交換器１０２と室外熱交換器１０３と空調用熱交換器１０４と膨張機構部１０５と四方弁１０６と室外熱交換器用送風機１０７と給湯用ポンプ１０８を備える冷暖房給湯装置に、給湯用熱交換器１０２をバイパスするバイパス管１とバイパス管１に流量調整弁２を設け、給湯用熱交換器１０２の冷媒温度検知手段として給湯用熱交換器冷媒出口温度センサー４と外気温度検知手段として外気温度センサー１１を設け、この値によって室外熱交換器用送風機１０７の風量制御手段として室外熱交換器用送風機コントローラー１９を設けた構成としている。
【０１２１】
上記構成において、冷房と給湯を同時運転する場合には、給湯用熱交換器冷媒出口温度センサー４の値が外気温度センサー１１の値を越えたときに室外熱交換器用送風機コントローラー１９にて室外熱交換器用送風機１０７を起動させるようにすることで、室外熱交換器１０３の温度と外気温度との差が小さく、さらに外気温度の方が小さいと予測される状態となるので室外熱交換器用送風機１０７の起動による室外熱交換器１０３の急激な能力変化を抑制し、室外熱交換器１０３を凝縮器として作用させることができるのでサイクルの安定による信頼性向上と蒸発圧力の必要以上な低下による空調用熱交換器の凍結を改善できることとなる。
【０１２２】
（実施例１５）
図１６は本発明の冷暖房給湯装置のサイクル構成図を示す。圧縮機１０１と給湯用熱交換器１０２と室外熱交換器１０３と空調用熱交換器１０４と膨張機構部１０５と四方弁１０６と室外熱交換器用送風機１０７と給湯用ポンプ１０８を備える冷暖房給湯装置に、給湯用熱交換器１０２をバイパスするバイパス管１とバイパス管１に流量調整弁２を設け、室外熱交換器１０３の冷媒温度検知手段として室外熱交換器冷媒温度センサー１５と外気温度検知手段として外気温度センサー１１を設け、この値によって室外熱交換器用送風機１０７の風量制御手段として室外熱交換器用送風機コントローラー１９を設けた構成としている。
【０１２３】
上記構成において、冷房と給湯を同時運転する場合には、室外熱交換器冷媒温度センサー１５の値が外気温度センサー１１の値を越えたときに室外熱交換器用送風機コントローラー１９にて室外熱交換器用送風機１０７を起動させるようにすることで、室外熱交換器１０３の温度と外気温度との差が小さく、さらに外気温度の方が小さい状態となるので室外熱交換器用送風機１０７の起動による室外熱交換器１０３の急激な能力変化を抑制し、室外熱交換器１０３を凝縮器として作用させることができるのでサイクルの安定による信頼性向上と蒸発圧力の必要以上な低下による空調用熱交換器の凍結を改善できることとなる。
【０１２４】
【発明の効果】
以上の実施例から明らかなように、本発明によれば給湯用熱交換器での圧力損失による効率が低下を抑制するという効果のある冷暖房給湯装置を提供できる。
【０１２５】
また、サイクル内最適充填量の変動による効率の低下やサイクルの不安定と空調用熱交換器の凍結による信頼性の低下を抑制できる効果のある冷暖房給湯装置を提供できる。
【０１２６】
また、給湯と空調能力分配による快適性が向上できる効果のある冷暖房給湯装置を提供できる。
【０１２７】
また、冷房時に室外熱交換器用送風機の起動時に生じる室外熱交換器能力の急激な変化を抑制し、外気温度によっては凝縮器であるはずの室外熱交換器が蒸発器として作用することのない効果のある冷暖房給湯装置を提供できる。
【図面の簡単な説明】
【図１】本発明の実施例１の冷暖房給湯装置のサイクル構成図
【図２】本発明の実施例２の冷暖房給湯装置のサイクル構成図
【図３】本発明の実施例３の冷暖房給湯装置のサイクル構成図
【図４】本発明の実施例４の冷暖房給湯装置のサイクル構成図
【図５】本発明の実施例５の冷暖房給湯装置のサイクル構成図
【図６】本発明の実施例６の冷暖房給湯装置のサイクル構成図
【図７】本発明の実施例７の冷暖房給湯装置のサイクル構成図
【図８】本発明の実施例８の冷暖房給湯装置のサイクル構成図
【図９】本発明の実施例９の冷暖房給湯装置のサイクル構成図
【図１０】本発明の実施例１０の冷暖房給湯装置のサイクル構成図
【図１１】本発明の実施例１１の冷暖房給湯装置のサイクル構成図
【図１２】本発明の実施例１２の冷暖房給湯装置のサイクル構成図
【図１３】本発明の実施例１３の冷暖房給湯装置のサイクル構成図
【図１４】本発明の実施例１４の冷暖房給湯装置のサイクル構成図
【図１５】本発明の実施例１５の冷暖房給湯装置のサイクル構成図
【図１６】本発明の実施例１６の冷暖房給湯装置のサイクル構成図
【図１７】従来の冷暖房給湯装置のサイクル構成図
【符号の説明】
１    バイパス管
２    流量調整弁
３    給湯用熱交換器冷媒入口温度センサー
４    給湯用熱交換器冷媒出口温度センサー
５    流量調整弁コントローラー
６    給湯用熱交換器水入口温度センサー
７    給湯用熱交換器水出口温度センサー
８    空調能力要求ランク設定装置
９    給湯能力要求ランク設定装置
１０  時計
１１  外気温度センサー
１２  圧縮機吸入圧力センサー
１３  空調用熱交換器水温度センサー
１４  空調用熱交換器冷媒温度センサー
１５  室外熱交換器冷媒温度センサー
１６  室外熱交換器冷媒圧力センサー
１７  三方弁
１８  給湯用ポンプコントローラー
１９  室外熱交換器用送風機コントローラー
【図１】
0004610688.tif 000002
【図２】
0004610688.tif 000003
【図３】
0004610688.tif 000004
【図４】
0004610688.tif 000005
【図５】
0004610688.tif 000006
【図６】
0004610688.tif 000007
【図７】
0004610688.tif 000008
【図８】
0004610688.tif 000009
【図９】
0004610688.tif 000010
【図１０】
0004610688.tif 000011
【図１１】
0004610688.tif 000012
【図１２】
0004610688.tif 000013
【図１３】
0004610688.tif 000014
【図１４】
0004610688.tif 000015
【図１５】
0004610688.tif 000016
【図１６】
0004610688.tif 000017
【図１７】
0004610688.tif 000018